(57)【要約】【課題】アンテナを内包する防水部材を有する防水構造体において、防水性能が不十分となったりアンテナが損傷したりするのを防止し得る防水構造体及び携帯端末を提供する。【解決手段】携帯電話１は、アンテナ１０が内包された弾性部材からなるアンテナ入りパッキン２０が操作キー側筐体３と電池側筐体４との間に挟持されてなる。アンテナ入りパッキン２０は、操作キー側筐体３と電池側筐体４との間に挟持される被挟持部２１を有している。被挟持部２１は、被挟持方向の縦寸法が横寸法よりも長くなっている。【選択図】図１
2014039082.tif 000002
【特許請求の範囲】
【請求項１】
アンテナが内包された弾性部材からなる防水部材が第１筐体と第２筐体との間に挟持されてなる防水構造体において、
上記防水部材は、第１筐体と第２筐体との間に挟持される被挟持部を有していると共に、
上記被挟持部は、被挟持方向の縦寸法が横寸法よりも長くなっていることを特徴とする防水構造体。
【請求項２】
前記防水部材の被挟持部における被挟持方向の中心位置にアンテナが内包されていることを特徴とする請求項１記載の防水構造体。
【請求項３】
前記アンテナは、複数本の金属線からなっていることを特徴とする請求項１又は２記載の防水構造体。
【請求項４】
前記防水部材の被挟持部は、縦長の楕円形状又は縦長の卵型形状になっていることを特徴とする請求項１，２又は３記載の防水構造体。
【請求項５】
前記防水部材の被挟持部の側方には、被挟持部における被挟持方向の縦寸法よりも小さい縦寸法を有するアンテナ内包部が設けられていることを特徴とする請求項１記載の防水構造体。
【請求項６】
前記防水部材の被挟持部における上端又は下端の少なくとも一方には、第１筐体の凸部又は第２筐体の凸部の少なくとも一方に挿入される凹部が形成されていることを特徴とする請求項２又は３記載の防水構造体。
【請求項７】
前記アンテナ内包部に設けられたアンテナは板状になっていることを特徴とする請求項５記載の防水構造体。
【請求項８】
前記防水部材の被挟持部には、アンテナを挿入可能な被挟持部切り込みが設けられていることを特徴とする請求項２記載の防水構造体。
【請求項９】
前記防水部材の被挟持部には、側方に延びる延設部が設けられており、該延設部には、アンテナを挿入可能な延設部アンテナ用切り込みが設けられていることを特徴とする請求項２記載の防水構造体。
【請求項１０】
前記アンテナ内包部には、アンテナを収納可能な内包部切り込みが設けられていることを特徴とする請求項７記載の防水構造体。
【請求項１１】
前記被挟持部には、側方に延びる延設部が設けられており、該延設部には、アンテナを搭載した基板又はフレキシブルアンテナを挿入可能な延設部アンテナ一体化物用切り込みが設けられていることを特徴とする請求項２記載の防水構造体。
【請求項１２】
前記防水部材は、アンテナが内包された導電性材料からなっていると共に、
上記防水部材には、アンテナに接続される端子を有する基板が挿入されていることを特徴とする請求項１記載の防水構造体。
【請求項１３】
請求項１〜１２のいずれか１項に記載の防水構造体を備えていることを特徴とする携帯端末。
【発明の詳細な説明】
【技術分野】
【０００１】
本発明は、アンテナを内包し、かつ防水機能を有する防水構造体及び携帯端末に関するものである。
【背景技術】
【０００２】
近年、アンテナを内包する携帯端末において、防水機能を付与するための開発が進められている。
【０００３】
例えば、特許文献１に開示された携帯端末１００では、図１０（ａ）（ｂ）（ｃ）に示すように、上ケース１１０の周縁部近傍の当接面１１１と、下ケース１２０の周縁部近傍の当接面１２１との間にアンテナ入りパッキン１３０が挟まれ、上ケース１１０と下ケース１２０とが嵌合することにより、両ケース間が防水構造となっている。これにより、形状の大きいアンテナと防水パッキンとをコンパクトに実装することができる携帯端末を提供するものとなっている。
【０００４】
また、例えば特許文献２に開示された携帯電話機２００は、図１１（ａ）（ｂ）に示すように、筐体２１０・２２０と、筐体２１０・２２０内に配設されるループアンテナ２３１とを有し、ループアンテナ２３１は、筐体２１０・２２０を水密に維持するための防水パッキン２３０内に内包されており、かつ、筐体２１０・２２０の外周部にループ形状に配設されている。これにより、防水機能を発揮しつつ、ループアンテナ２３１によって確定されるアンテナ面積をできるだけ広く確保し、さらに、組み立て工数の低減を図ることが可能となっている。
【０００５】
さらに、例えば特許文献３に開示された携帯無線機３００は、図１２（ａ）（ｂ）に示すように、第１ケース３１０と第２ケース３２０とが組み合わされる筐体を有すると共に、基板３０１上にアンテナ部３０２が搭載されたフレキシブル基板３０３の一部が、環状弾性部材３３０の一部に沿って配設されている。
【０００６】
これにより、防水機能を有する携帯無線機において、アンテナ性能の劣化を防止すると共にアンテナに接続される回路部が機械的に破損することを回避可能な携帯無線機を提供するものとなっている。
【先行技術文献】
【特許文献】
【０００７】
【特許文献１】特開２０１１−１４６９５５号公報（２０１１年７月２８日公開）
【特許文献２】特開２０１１−１５５５２７号公報（２０１１年８月１１日公開）
【特許文献３】特開２０１１−０３５８２３号公報（２０１１年２月１７日公開）
【発明の概要】
【発明が解決しようとする課題】
【０００８】
しかしながら、上記従来の防水構造体及び携帯端末では、防水部材の断面形状は円形となっていた。
【０００９】
このため、アンテナを内包する円形の弾性部材からなる防水部材を筐体へ組み込むときに、充分な弾性力を得ることができず、防水が不十分となったり又は筐体がアンテナを噛み込んだ状態になったりする場合が発生する。この結果、防水不十分、及びアンテナが傷つき、アンテナにおける特性の劣化等の問題が発生する。
【００１０】
このように、携帯端末、詳細には携帯情報通信端末では、機能が増え、回路部品、各種アンテナ等の物理的な面積が大きくなっている。一方で、市場での小型・薄型化が以前よりも要求されている。特に、最近の携帯情報通信端末では防水機能が付いており、部品スペースは一層小さくなっている。
【００１１】
さらに、防水を成立させるため、防水パッキン等の防水部材の内側にアンテナを作成するので、アンテナはこれまで以上に筺体の内側に配置され、アンテナ特性にも影響する場合がある。
【００１２】
したがって、スペースの有効活用のため、アンテナを内包する防水部材等の防水部品とアンテナとの一体化を図る中で、防水性能及びアンテナ性能を確保することが重要な課題となっている。
【００１３】
本発明は、上記従来の問題点に鑑みなされたものであって、その目的は、アンテナを内包する防水部材を有する防水構造体において、防水性能が不十分となったり、アンテナが損傷したりするのを防止し得る防水構造体及び携帯端末を提供することにある。
【課題を解決するための手段】
【００１４】
本発明の防水構造体は、上記課題を解決するために、アンテナが内包された弾性部材からなる防水部材が第１筐体と第２筐体との間に挟持されてなる防水構造体において、上記防水部材は、第１筐体と第２筐体との間に挟持される被挟持部を有していると共に、上記被挟持部は、被挟持方向の縦寸法が横寸法よりも長くなっていることを特徴としている。
【００１５】
上記の発明によれば、防水構造体は、アンテナが内包された弾性部材からなる防水部材が第１筐体と第２筐体との間に挟持されてなっている。
【００１６】
このような防水構造体では、第１筐体と第２筐体との間に挟持される被挟持部の断面形状が円形であると、防水部材の被挟持部への圧縮力が不十分となり、防水機能が不充分となる虞がある。また、防水部材における被挟持部の内部にアンテナが内包されている場合には、被挟持部におけるアンテナと第１筐体又は第２筐体との間の間隔が小さいものとなる。このため、第１筐体と第２筐体との間への被挟持部の組み込み時に適切な緩衝作用が得られず、第１筐体又は第２筐体がアンテナを噛み込んだり潰れたりした状態になる場合が発生する。この結果、アンテナが傷つき、アンテナの特性の劣化、及び防水不十分等の問題が発生する。
【００１７】
そこで、本発明では、被挟持部は、被挟持方向の縦寸法が横寸法よりも長くなっている。このため、被挟持部の厚さが充分に確保されるので、被挟持部への圧縮力が充分となり、防水機能が充分となる。
【００１８】
また、防水部材における被挟持部の内部にアンテナが内包されている場合には、被挟持部におけるアンテナと第１筐体又は第２筐体との間の間隔が大きいものとなる。この結果、第１筐体と第２筐体との間への被挟持部の組み込み時に、適切な緩衝作用が得られるので、第１筐体又は第２筐体がアンテナに噛み込んだ状態にはならない。
【００１９】
したがって、アンテナを内包する防水部材を有する防水構造体において、防水性能が不十分となったり、アンテナが損傷したりするのを防止し得る防水構造体を提供することができる。
【００２０】
本発明の防水構造体では、前記防水部材の被挟持部における被挟持方向の中心位置にアンテナが内包されているとすることができる。
【００２１】
これにより、防水部材の被挟持部における被挟持方向の中心位置にアンテナが内包されている場合には、特に、第１筐体と第２筐体との間に挟持される被挟持部の断面形状が円形であると、被挟持部におけるアンテナと第１筐体又は第２筐体との間の間隔が小さい。このため、第１筐体と第２筐体との間への被挟持部の組み込み時に適切な緩衝作用が得られず、第１筐体又は第２筐体がアンテナを噛み込んだり潰れたりした状態になる場合が発生する。この結果、アンテナが傷つき、アンテナの特性の劣化、及び防水不十分等の問題が発生する。
【００２２】
これに対して、本発明では、被挟持方向の縦寸法が横寸法よりも長くなっている被挟持部における被挟持方向の中心位置にアンテナが内包されているので、アンテナが損傷したり、防水が不十分となったりするのを確実に防止することができる。
【００２３】
本発明の防水構造体では、前記アンテナは、複数本の金属線からなっているとすることができる。
【００２４】
これにより、例えば、非接触ＩＣカードの一種であるＦｅｌｉＣａ（登録商標）カード等において使用されているＦｅｌｉＣａ（登録商標）アンテナ等の３ターン又は４ターン等の渦巻き状のコイル等における複数本の金属線にも対応することが可能となる。
【００２５】
本発明の防水構造体では、前記防水部材の被挟持部は、縦長の楕円形状又は縦長の卵型形状になっているとすることができる。
【００２６】
これにより、第１筐体と第２筐体との間に挟持される被挟持部の形状を縦長の楕円形状又は縦長の卵型形状にすることによって、被挟持方向の圧縮に対して圧縮率を上げることができる。
【００２７】
本発明の防水構造体では、前記防水部材の被挟持部の側方には、被挟持部における被挟持方向の縦寸法よりも小さい縦寸法を有するアンテナ内包部が設けられているとすることができる。
【００２８】
例えば、被挟持部にアンテナを内包した場合に、構造の制約条件から防水部材として必要な圧縮率が確保できないとき、又は組み込み時に内包されたアンテナが第１筐体又は第２筐体に噛み込まれたりねじれたりすることを防ぐ必要があるときには、被挟持部の側方に設けられ、かつ被挟持部における被挟持方向の縦寸法よりも小さい縦寸法を有するアンテナ内包部にアンテナを内包することによって、防水機能及びアンテナ機能の両方を満たすことができる。
【００２９】
例えば、特に、ループアンテナを使用する場合、アンテナ特性の確保に有効な手段となり得る。
【００３０】
本発明の防水構造体では、前記防水部材の被挟持部における上端又は下端の少なくとも一方には、第１筐体の凸部又は第２筐体の凸部の少なくとも一方に挿入される凹部が形成されているとすることができる。
【００３１】
これにより、第１筐体の凸部又は第２筐体の凸部の少なくとも一方を被挟持部における凹部に挿入することによって、被挟持部の転倒防止に効果がある。また、この形状は、被挟持方向からの圧縮だけなく斜め方向からの圧縮にも対応できるので、被挟持部が転倒するのをさらに防止することができる。
【００３２】
本発明の防水構造体では、前記アンテナ内包部に設けられたアンテナは板状になっているとすることができる。
【００３３】
これにより、板状のアンテナを採用する防水構造体にも適用が可能となる。
【００３４】
本発明の防水構造体では、前記防水部材の被挟持部には、アンテナを挿入可能な被挟持部切り込みが設けられているとすることができる。
【００３５】
例えば、製品開発過程においては、最終形状にするまでに試作をしてアンテナ特性を確保する。例えば、アンテナ長やアンテナ形状を変更して周波数調整したりする。
【００３６】
この場合、従来の公開技術又は防水部材に内包されたアンテナでは、アンテナ特性を確保するには防水部材を切断して取り出し、アンテナを調整する必要があった。
【００３７】
そこで、本発明では、アンテナを防水部材の被挟持部に完全に内包してしまうのではなく、例えば、被挟持部に、第１筐体及び第２筐体によって形成される内部空間に面する部分に被挟持部切り込みを設けておく。これにより、アンテナを評価してアンテナ長や形状を変更した後に、防水部材の被挟持部にアンテナを嵌め込むことができる。勿論、防水については、第１筐体と第２筐体との防水部材の被挟持部への被挟持方向の圧縮にて成立する。
【００３８】
本発明の防水構造体では、前記防水部材の被挟持部には、側方に延びる延設部が設けられており、該延設部には、アンテナを挿入可能な延設部アンテナ用切り込みが設けられているとすることができる。
【００３９】
これにより、アンテナを評価してアンテナ長や形状を変更した後に、防水部材における延設部アンテナ用切り込みを通してアンテナを被挟持部２１に嵌め込むことができる。勿論、防水については、第１筐体と第２筐体との防水部材の被挟持部への被挟持方向の圧縮にて成立すると共に、延設部にて確実に防水することができる。
【００４０】
本発明の防水構造体では、前記アンテナ内包部には、アンテナを収納可能な内包部切り込みが設けられているとすることができる。
【００４１】
これにより、アンテナを評価してアンテナ長や形状を変更した後に、防水部材における内包部切り込みにアンテナを収納することができる。勿論、防水については、第１筐体と第２筐体との防水部材の被挟持部への被挟持方向の圧縮にて成立する。
【００４２】
本発明の防水構造体では、前記被挟持部には、側方に延びる延設部が設けられており、該延設部には、アンテナを搭載した基板又はフレキシブルアンテナを挿入可能な延設部アンテナ一体化物用切り込みが設けられているとすることができる。
【００４３】
例えば、アンテナを搭載した基板と防水テープ又はフレキシブルアンテナと防水テープとを一体構造化して用いる場合がある。この場合、このような一体構造化物を、後から防水部材に内包することが可能となる。したがって、アンテナの形状に関わらず防水部材の中にアンテナを収納することができる。また、製品開発時にアンテナの性能を得るためのアンテナ長の変更等が容易である。
【００４４】
本発明の防水構造体では、前記防水部材は、アンテナが内包された導電性材料からなっていると共に、上記防水部材には、アンテナに接続される端子を有する基板が挿入されているとすることができる。
【００４５】
例えば、防水部材にアンテナが内包される場合に、基板とアンテナとの接続が不十分となる場合がある、
しかし、本発明では、防水部材は、アンテナが内包された導電性材料からなっていると共に、防水部材には、アンテナに接続される端子を有する基板が挿入されている。これにより、基板の端子とアンテナとが導電性材料を介して電気的に接続可能となる。この結果、基板の端子とアンテナとの電気的接続を容易かつ確実に行うことが可能となる。
【００４６】
本発明の携帯端末は、上記課題を解決するために、前記記載の防水構造体を備えていることを特徴としている。
【００４７】
上記の発明によれば、アンテナが損傷したり、防水が不十分となったりするのを防止し得る防水構造体を備えた携帯端末を提供することができる。
【発明の効果】
【００４８】
本発明の防水構造体は、以上のように、防水部材は、第１筐体と第２筐体との間に挟持される被挟持部を有していると共に、上記被挟持部は、被挟持方向の縦寸法が横寸法よりも長くなっているものである。
【００４９】
本発明の携帯端末は、以上のように、前記記載の防水構造体を備えているものである。
【００５０】
それゆえ、アンテナを内包する防水部材を有する防水構造体において、防水性能が不十分となったり、アンテナが損傷したりするのを防止し得る防水構造体及び携帯端末を提供するという効果を奏する。
【図面の簡単な説明】
【００５１】
【図１】（ａ）は本発明における防水構造体及び携帯端末の実施の一形態を示すものであって、防水構造体を備えた携帯端末としての携帯電話の構成を示す平面図であり、（ｂ）は（ａ）のＡ−Ａ線断面図である。
【図２】上記携帯電話における本体側筐体の構成を示す斜視図である。
【図３】（ａ）〜（ｄ）は、上記携帯電話のアンテナ入りパッキンにおける被挟持部の種々の構成を示す断面図である。
【図４】（ａ）（ｂ）は、上記携帯電話のアンテナ入りパッキンにおける被挟持部の他の種々の構成を示す断面図である。
【図５】（ａ）（ｂ）は、上記携帯電話における被挟持部の側方にアンテナ内包部を有するアンテナ入りパッキンの構成を示す断面図である。
【図６】（ａ）は上記携帯電話における被挟持部の側方のアンテナ内包部に板金アンテナを挿入したアンテナ入りパッキンの構成を示す断面図であり、（ｂ）は上記携帯電話における被挟持部の側方のアンテナ内包部に板金アンテナを挿入したアンテナ入りパッキンの構成を示す斜視図であり、（ｃ）は上記携帯電話における被挟持部の側方のアンテナ内包部にコイル状アンテナを挿入したアンテナ入りパッキンの構成を示す斜視図である。
【図７】（ａ）は上記被挟持部に被挟持部切り込みを有するアンテナ入りパッキンの構成を示す断面図であり、（ｂ）は上記被挟持部の側方に設けられた延設部に延設部アンテナ用切り込みを有するアンテナ入りパッキンの構成を示す断面図であり、（ｃ）は上記アンテナ入りパッキンのアンテナ内包部にアンテナを挿入可能な内包部切り込みを有するアンテナ入りパッキンの構成を示す断面図である。
【図８】（ａ）はアンテナを搭載した基板又はフレキシブルアンテナと防水テープとの一体化物を挿入可能な延設部アンテナ一体化物用切り込みを有するアンテナ入りパッキンの構成を示す平面図であり、（ｂ）は（ａ）のＢ−Ｂ線断面図である。
【図９】（ａ）は被挟持部が導電性材料からなっているアンテナ入りパッキンの構成を示す断面図であり、（ｂ）は上記アンテナ入りパッキンの構成を示す平面図である。
【図１０】（ａ）は従来の携帯端末の構成を示す平面図であり、（ｂ）は（ａ）のＸ−Ｘ線断面図であり、（ｃ）は（ａ）のＹ−Ｙ線断面図である。
【図１１】（ａ）は従来の他の携帯端末の構成を示す分解斜視図であり、（ｂ）は上記携帯端末の要部の成を示す部分断面図である。
【図１２】（ａ）は従来のさらに他の携帯端末の構成を示す平面図であり、（ｂ）は（ａ）のＣ−Ｃ線断面図である。
【発明を実施するための形態】
【００５２】
本発明の一実施形態について図１〜図９に基づいて説明すれば、以下のとおりである。
【００５３】
本発明の防水構造体及び、該防水構造体を備えた携帯端末の一例として、本実施の形態では、携帯端末としての携帯電話について説明する。ただし、携帯端末は携帯電話に限らず、アンテナを内蔵し、かつ防水機能を有するものであれば、携帯ＴＶ、携帯通信機等の各種の携帯端末であれば足りる。
【００５４】
本実施の形態の携帯端末としての携帯電話１の構成について、図１（ａ）（ｂ）及び図２に基づいて説明する。
【００５５】
本実施の形態の携帯電話１は、図２に示すように、操作キー５を備えかつ電池を内蔵する本体側筐体２と、図示しない表示画面を備えた表示画面側筐体とがヒンジ部２ａにてヒンジ結合されることにより折り畳み可能となっている。
【００５６】
上記本体側筐体２は、第１筐体としての操作キー側筐体３と第２筐体としての電池側筐体４とからなっている。
【００５７】
操作キー側筐体３には前記複数の操作キー５が設けられている一方、電池側筐体４には、図１（ａ）に示すように、アンテナ１０と、防水部材としてのアンテナ入りパッキン２０と、基板６と、図示しない電池とが実装されている。
【００５８】
上記アンテナ入りパッキン２０は、ゴム等の弾性部材からなっており、電池側筐体４の周縁部４ａに沿ってループ状に配設されており、図１（ｂ）に示すように、電池側筐体４の周縁部４ａと操作キー側筐体３の周縁部３ａとの間に挟持されるようになっている。これによって、操作キー側筐体３及と電池側筐体４とが周縁部３ａ・４ａの各当接面において防水構造となっている。
【００５９】
本実施の形態のアンテナ入りパッキン２０は、図１（ｂ）に示すように、操作キー側筐体３と電池側筐体４との間に挟持される被挟持部２１と、この被挟持部２１の側方に延設されるアンテナ内包部２２とを有している。
【００６０】
上記アンテナ入りパッキン２０のアンテナ内包部２２にはアンテナ１０が内包されており、このアンテナ１０は図示しないアンテナ端子から基板６のアンテナ用端子に電気的に接続されるようになっている。
【００６１】
この結果、本実施の形態では、形状の大きいアンテナ１０とアンテナ入りパッキン２０とをコンパクトに実装することができる携帯電話１を提供するものとなっている。
【００６２】
ところで、本実施の形態の携帯電話１のように、アンテナ入りパッキン２０を採用する防水構造体では、操作キー側筐体３と電池側筐体４との間に挟持される被挟持部２１の断面形状が円形であると、アンテナ入りパッキン２０の被挟持部２１への圧縮力が不十分となり、防水機能が不充分となる虞がある。また、アンテナ入りパッキン２０における被挟持部２１の内部にアンテナ１０が内包されている場合には、被挟持部２１におけるアンテナ１０と操作キー側筐体３又は電池側筐体４との間の間隔が小さいものとなる。このため、操作キー側筐体３と電池側筐体４との間への被挟持部２１の組み込み時に適切な緩衝作用が得られず、操作キー側筐体３又は電池側筐体４がアンテナ１０を噛み込んだり潰れたりした状態になる場合が発生する。この結果、アンテナ１０が傷つき、アンテナ１０の特性の劣化、及び防水不十分等の問題が発生する。
【００６３】
そこで、本実施の形態では、被挟持部２１は、この被挟持部２１は、図１（ｂ）では、例えば縦長のトラック形状となっており、被挟持方向の縦寸法が横寸法よりも長くなっている。
【００６４】
このため、被挟持部２１の厚さが充分に確保されるので、被挟持部２１への圧縮力が充分となり、防水機能が充分となる。
【００６５】
また、アンテナ入りパッキン２０における被挟持部２１の内部にアンテナ１０が内包されている場合には、被挟持部２１におけるアンテナ１０と操作キー側筐体３又は電池側筐体４との間の間隔が大きいものとなる。この結果、操作キー側筐体３と電池側筐体４との間への被挟持部２１の組み込み時に適切な緩衝作用が得られるので、操作キー側筐体３又は電池側筐体４がアンテナ１０に噛み込んだ状態にはならない。
【００６６】
したがって、防水が不十分となったり、アンテナ１０が損傷したりするのを防止し得る防水構造体を提供することができる。
【００６７】
ここで、本実施の形態の防水構造体及び携帯電話１においては、被挟持部２１の形状において、被挟持方向の縦寸法が横寸法よりも長くなっているという条件を満たしていれば、携帯端末アンテナ入りパッキン２０自体の構成においても、種々の形態が考えられる。
【００６８】
以下では、アンテナ入りパッキン２０の種々の構成について、図３〜図９に基づいて説明する。
【００６９】
まず、図３（ａ）〜（ｄ）に示すように、アンテナ入りパッキン２０の被挟持部２１における被挟持方向の中心位置にアンテナ１０が内包されているとすることができる。
【００７０】
例えば、アンテナ入りパッキン２０の被挟持部２１における被挟持方向の中心位置にアンテナ１０が内包されている場合には、特に、操作キー側筐体３と電池側筐体４との間に挟持される被挟持部２１の断面形状が円形であると、被挟持部２１におけるアンテナ１０と操作キー側筐体３と電池側筐体４との間の間隔が小さい。このため、操作キー側筐体３と電池側筐体４との間への被挟持部２１の組み込み時に適切な緩衝作用が得られず、操作キー側筐体３又は電池側筐体４がアンテナ１０を噛み込んだり潰れたりした状態になる場合が発生する。この結果、アンテナ１０が傷つき、アンテナ１０の特性の劣化、及び防水不十分等の問題が発生する。この場合の解決方法として、円の直径を大きくすることが考えられるが、そのようにすると、防水構造体及び携帯電話１の小型化に支障を来たす。
【００７１】
これに対して、本実施の形態では、被挟持方向の縦寸法が横寸法よりも長くなっている被挟持部２１における被挟持方向の中心位置にアンテナ１０が内包されているので、アンテナ１０が損傷したり、防水が不十分となったりするのを確実に防止することができる。また、被挟持部２１の横幅が大きくなるということがないので、防水構造体及び携帯電話１の小型化に支障を来たすこともない。
【００７２】
また、前述した図１（ｂ）に示す被挟持部２１の形状は、縦長のトラック形状となっていたが、必ずしもこれに限らない。
【００７３】
例えば、図３（ａ）に示すように、アンテナ入りパッキン２０は、被挟持部２１のみからなっており、その被挟持部２１は、縦長の楕円形状又は縦長の卵型形状になっているとすることができる。
【００７４】
これにより、操作キー側筐体３又は電池側筐体４とアンテナ１０との間隔を大きくすることができるので、緩衝作用を確保し、被挟持方向の圧縮に対して圧縮率を上げることができる。
【００７５】
また、図３（ｂ）に示すように、図３（ａ）に示す縦長の楕円形状又は縦長の卵型形状の被挟持部２１における上端及び下端を水平に切り欠いた形状とすることが可能である。さらに、縦長の長方形とすることも可能である。このように、被挟持部２１の上下をフラットに切断することにより、操作キー側筐体３及び電池側筐体４との接触面積を大きくすることができ、圧縮面積を十分に確保することができる。この結果、操作キー側筐体３と電池側筐体４との間に被挟持部２１を挟持するときに、上下方向つまり被挟持方向からの圧縮でも斜め方向からの圧縮でも、操作キー側筐体３及び電池側筐体４が安定して圧縮される。したがって、操作キー側筐体３及び電池側筐体４が型崩れしないので、アンテナ１０の破損も抑制することができる。
【００７６】
このように、被挟持方向の縦寸法が横寸法よりも長くなっている被挟持部２１の具体的形状は、圧縮する方向、接触面積等の条件によりアンテナ入りパッキン２０の硬度、圧縮率を考えて材質を含めて決定することが好ましい。
【００７７】
次に、上述したように、生産ラインにおいて被挟持部２１を操作キー側筐体３と電池側筐体４との間に組み込む場合、被挟持部２１が横に倒れることが起こり得る。アンテナ入りパッキン２０を操作キー側筐体３及び電池側筐体４の溝に沿って挿入していく形態の設計であっても、条件によっては溝が防水部材全体をカバーできず、溝が作れない部分が存在することもある。このため、縦長の楕円や卵型では倒れや捻じれのために、正しく組み込みができない場合があることが想定される。
【００７８】
そこで、図３（ｃ）（ｄ）に示すように、例えば、被挟持部２１における上端又は下端の少なくとも一方には、操作キー側筐体３の凸部としての周縁部３ａ又は電池側筐体４の凸部としての周縁部４ａの少なくとも一方に挿入される凹部２１ｂが形成されているとすることができる。
【００７９】
これにより、被挟持部２１の転倒防止に効果がある。また、この形状は、被挟持方向からの圧縮だけなく斜め方向からの圧縮にも対応できるので、被挟持部２１が転倒するのをさらに防止することができる。
【００８０】
ここで、図３（ｄ）に示すように、被挟持部２１の凹部２１ｂは、被挟持部２１の上下におけるいずれか一方でもよい。尚、被挟持部２１に凸部を採用し、操作キー側筐体３及び電池側筐体４側に凹部を作成してもよい。また、凹部２１ｂは全体に作成しても又は部分的に作成してもよい。
【００８１】
次に、上記の説明では、被挟持部２１に内包されるアンテナ１０は、単線であったが、必ずしもこれに限らず、図４（ａ）（ｂ）に示すように、アンテナ１０は、複数本の金属線からなっているとすることができる。
【００８２】
これにより、例えば、非接触ＩＣカードの一種であるＦｅｌｉＣａ（登録商標）カード等において使用されているＦｅｌｉＣａ（登録商標）アンテナ等の３ターン又は４ターン等の渦巻き状のコイル等における複数本の金属線にも対応することが可能となる。
【００８３】
尚、この場合においても、図４（ｂ）に示すように、被挟持部２１に凹部２１ｂを設けることが可能である。
【００８４】
次に、上述の図３（ａ）〜（ｄ）及び図４（ａ）（ｂ）に示すように、被挟持部２１にアンテナ１０を内包した場合に、構造の制約条件から防水部材として必要な圧縮率が確保できないとき、又は組み込み時に内包されたアンテナ１０が操作キー側筐体３又は電池側筐体４に噛み込まれたりねじれたりする場合がある。
【００８５】
このような場合には、図５（ａ）（ｂ）に示すように、アンテナ入りパッキン２０の被挟持部の側方には、被挟持部における被挟持方向の縦寸法よりも小さい縦寸法を有するアンテナ内包部２２が設けられているとすることができる。このアンテナ内包部２２は、必ずしも図１（ｂ）に示すように、被挟持部２１の上下方向の中心線上に設ける必要はなく、図５（ａ）（ｂ）に示すように、被挟持部２１の下端部又は上端部から側方に延びるものであってもよい。
【００８６】
このように構成することによって、アンテナ１０が被挟持部２１ではなくアンテナ内包部２２に配置されるので、アンテナ１０が圧縮されることがない。この結果、アンテナ特性も改善される。利点として、図６（ａ）（ｂ）（ｃ）に示すように、板状の板金アンテナ１１、又はフレキシブルアンテナ等の幅の広いアンテナでも被挟持部２１の容積を大きくすることなく、操作キー側筐体３の周縁部３ａ及び電池側筐体４の周縁部３ａに寄せて配置することが可能となる。例えば、特に、ループアンテナを使用する場合、アンテナ特性の確保に有効な手段となり得る。
【００８７】
この構成により、防水機能及びアンテナ機能の両方を確実に満たすことができる。
【００８８】
尚、この構成においても、図５（ｂ）に示すように、被挟持部２１の上下における少なくとも一方に、凹部２１ｂを設けることが可能である。
【００８９】
次に、例えば、製品開発過程においては、最終形状にするまでに試作をしてアンテナ特性を確保することが行われる。具体的には、アンテナ長やアンテナ形状を変更して周波数調整したりする。
【００９０】
この場合、従来の公開技術又は防水部材に内包されたアンテナでは、アンテナ特性を確保するには防水部材を切断して取り出し、アンテナを調整する必要があった。
【００９１】
そこで、防水部材を切断してアンテナを取り出すということを回避するために、アンテナを防水部材の被挟持部に完全に内包してしまうのではなく、例えば、図７（ａ）に示すように、被挟持部２１に、操作キー側筐体３及び電池側筐体４によって形成される内部空間に面する部分に被挟持部切り込み２１ａを設けておく。これにより、アンテナ１０を評価してアンテナ長や形状を変更した後に、アンテナ入りパッキン２０の被挟持部２１にアンテナ１０を嵌め込むことができる。勿論、防水については、操作キー側筐体３と電池側筐体４との間の被挟持部２１への被挟持方向の圧縮にて成立する。尚、この場合、アンテナ１０の径が大きい場合には、対応できない。
【００９２】
ここで、アンテナ１０を挟み込む部分は、被挟持部２１でも、被挟持部２１の側方でもよい。したがって、図７（ｂ）に示すように、アンテナ入りパッキン２０の被挟持部２１には、側方に延びる延設部２３が設けられており、この延設部２３には、アンテナ１０を挿入可能な延設部アンテナ用切り込み２３ａが設けられているとすることができる。
【００９３】
これにより、アンテナ１０を評価してアンテナ長や形状を変更した後に、アンテナ入りパッキン２０における延設部アンテナ用切り込み２３ａを通してアンテナ１０を被挟持部２１に嵌め込むことができる。勿論、防水については、操作キー側筐体３と電池側筐体４との間の被挟持部への被挟持方向の圧縮にて成立すると共に、延設部２３にて確実に防水することができる。
【００９４】
また、図７（ｃ）に示すように、アンテナ内包部２２には、アンテナ１０を収納可能な内包部切り込み２２ａが設けられているとすることができる。
【００９５】
これにより、アンテナを評価してアンテナ長や形状を変更した後に、防水部材における内包部切り込み２２ａにアンテナ１０を収納することができる。勿論、防水については、操作キー側筐体３と電池側筐体４との間の被挟持部２１への被挟持方向の圧縮にて成立する。
【００９６】
ところで、フレキシブルアンテナやフレキシブル基板が用いられている場合には、フレキシブルアンテナに防水テープを貼ったり、フレキシブルアンテナを搭載したフレキシブル基板に防水テープを貼ったりすることが多い。しかし、これではアンテナを検討する際や生産に不具合があった場合に、交換することが難しい。そのような場合の防水構造体としては、例えば、図８（ａ）（ｂ）に示すように、被挟持部２１には、側方に延びる延設部２３を設けると共に、この延設部２３（図示しない防水テープを貼り付けた延設部２３又は被挟持部２１）には、フレキシブルアンテナ１２を搭載したフレキシブル基板７又はフレキシブルアンテナ１２等のアンテナ一体化物を挿入可能な延設部アンテナ一体化物用切り込み２３ｂを設けておくことが好ましい。
【００９７】
これにより、このような一体構造化物を、後からアンテナ入りパッキン２０に内包することが可能となる。したがって、アンテナ１０の形状に関わらずアンテナ入りパッキン２０の中にアンテナ１０を収納することができる。また、製品開発時にアンテナ１０の性能を得るためのアンテナ長の変更等が容易である。
【００９８】
また、防水部材を導電性材料で作成している場合、アンテナ１０と基板６との接合をどのように行うかが課題となる。
【００９９】
そこで、本実施の形態では、図９（ａ）（ｂ）に示すように、アンテナ入りパッキン２０には、アンテナに接続される端子を有する基板６が挿入されている。これにより、基板６の回路接点端子とアンテナとが導電性材料を介して電気的に接続可能となる。すなわち、アンテナと基板６の回路接点端子とは、操作キー側筐体３と電池側筐体４との圧縮によって、導電性材料を介して電気的に接続される。
【０１００】
この結果、基板６の端子とアンテナとの電気的接続を容易かつ確実に行うことが可能となる。
【０１０１】
このように、本実施の形態の防水構造体は、アンテナ１０が内包された弾性部材からなる防水部材が操作キー側筐体３と電池側筐体４との間に挟持されてなる防水構造体において、アンテナ入りパッキン２０は、操作キー側筐体３と電池側筐体４との間に挟持される被挟持部２１Ｂを有していると共に、被挟持部２１は、被挟持方向の縦寸法が横寸法よりも長くなっている。
【０１０２】
尚、防水部材を導電性材料で作成したものとして、導電性ゴムが存在する。この導電性ゴムは、例えば、絶縁体であるシリコーンゴムにカーボン粒子又は銀粉等を配合して弾性を維持したまま導電性を発現するようにしたものである。したがって、このような導電性ゴムからなる防水部材にアンテナ１０を内包することが可能である。
【０１０３】
また、本実施の形態の防水構造体では、例えば、アンテナ入りパッキン２０の被挟持部２１における被挟持方向の中心位置にアンテナが内包されている。
【０１０４】
さらに、本実施の形態の防水構造体では、例えば、アンテナ１０は、複数本の金属線からなっている。
【０１０５】
また、本実施の形態の防水構造体では、例えば、アンテナ入りパッキン２０の被挟持部２１は、縦長の楕円形状又は縦長の卵型形状になっている。
【０１０６】
さらに、本実施の形態の防水構造体では、例えば、アンテナ入りパッキン２０の被挟持部２１の側方には、被挟持部２１における被挟持方向の縦寸法よりも小さい縦寸法を有するアンテナ内包部２２が設けられている。
【０１０７】
また、本実施の形態の防水構造体では、例えば、アンテナ入りパッキン２０の被挟持部２１における上端又は下端の少なくとも一方には、操作キー側筐体３の周縁部３ａ又は電池側筐体４の周縁部４ａの少なくとも一方に挿入される凹部２１ｂが形成されている。
【０１０８】
さらに、本実施の形態の防水構造体では、例えば、アンテナ内包部２２に設けられたアンテナ１０は板状になっている。
【０１０９】
また、本実施の形態の防水構造体では、例えば、アンテナ入りパッキン２０の被挟持部２１には、アンテナ１０を挿入可能な被挟持部切り込み２１ａが設けられている。
【０１１０】
さらに、本実施の形態の防水構造体では、例えば、アンテナ入りパッキン２０の被挟持部２１には、側方に延びる延設部２３が設けられており、延設部２３には、アンテナ１０を挿入可能な延設部アンテナ用切り込み２３ａみが設けられている。
【０１１１】
また、本実施の形態の防水構造体では、例えば、アンテナ内包部２２には、アンテナ１０を収納可能な内包部切り込み２２ａが設けられている。
【０１１２】
さらに、本実施の形態の防水構造体では、例えば、被挟持部２１には、側方に延びる延設部２３が設けられており、延設部２３（図示しない防水テープを貼り付けた延設部２３又は被挟持部２１）には、アンテナ１０を搭載したフレキシブル基板７又はフレキシブルアンテナ１２等のアンテナ一体化物を挿入可能な延設部アンテナ一体化物用切り込み２３ｂが設けられている。
【０１１３】
また、本実施の形態の防水構造体では、例えば、アンテナ入りパッキン２０は、アンテナ１０が内包された導電性材料からなっていると共に、アンテナ入りパッキン２０には、アンテナ１０に接続される端子を有する基板６が挿入されている。
【０１１４】
さらに、本実施の形態の携帯電話１は、本実施の形態の防水構造体を備えている。
【０１１５】
これらにより、防水が不十分となったり、アンテナが損傷したりするのを防止し得る防水構造体、及び該防水構造体を備えた携帯電話１を提供することができる。
【０１１６】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１７】
本発明は、アンテナが内包された弾性部材からなる防水部材が第１筐体と第２筐体との間に挟持されてなる防水構造体及びそれを備えた携帯端末に関するものであり、例えば、携帯電話（スマートフォン等の携帯電話も含む）、ＰＤＡ、携帯型ゲーム機、携帯用テレビ、携帯用ラジオ等の携帯端末、タブレット端末、電子書籍端末等に適用することができる。
【符号の説明】
【０１１８】
１      携帯電話（携帯端末）
２      本体側筐体
２ａ    ヒンジ部
３      操作キー側筐体
３ａ    周縁部（凸部）
４      電池側筐体
４ａ    周縁部（凸部）
５      操作キー
６      基板
７      フレキシブル基板
１０      アンテナ
１１      板金アンテナ
１２      フレキシブルアンテナ（パターンアンテナ）
２０      アンテナ入りパッキン（防水部材）
２１      被挟持部
２１ｂ    凹部
２１Ｂ    被挟持部
２２      アンテナ内包部
２２ａ    内包部切り込み
２３      延設部
２３ａ    延設部アンテナ用切り込み
２３ｂ    延設部アンテナ一体化物用切り込み
【図１】
2014039082.tif 000003
【図３】
2014039082.tif 000004
【図４】
2014039082.tif 000005
【図５】
2014039082.tif 000006
【図６】
2014039082.tif 000007
【図７】
2014039082.tif 000008
【図８】
2014039082.tif 000009
【図９】
2014039082.tif 000010
【図１０】
2014039082.tif 000011
【図１１】
2014039082.tif 000012
【図１２】
2014039082.tif 000013
【図２】
2014039082.tif 000014